(57)【特許請求の範囲】
【請求項１】
被清掃部位に摺接して被清掃部位に付着した汚れを除去する拭取り部と、
被清掃部位に洗浄液を供給し、該洗浄液を被清掃部位に滴下ないし噴霧する、ペットボトルを洗浄液収容容器として利用した洗浄液供給部と、
清掃作業時に手で握って操作する操作グリップと、
一端に上記操作グリップを備え、他端に上記拭取り部が着脱可能に取り付けられる、嵌合する第１パイプと第２パイプを有する伸縮可能な柄と、
上記第１パイプと第２パイプの接続部に設けられ、第１パイプと第２パイプの接続位置を変えて柄の長さを調整する連結固定部と、を具備し、
上記洗浄液供給部には、上記拭取り部が取り付けられる上記伸縮可能な柄の一端寄りに、上記ペットボトルを装着するボトル装着部と、洗浄液の吐出の開始と停止の切り替え及び洗浄液の吐出量を加減するポンプ部と、が備えられており、上記操作グリップ自体またはその近傍位置に上記ポンプ部の動作を操作する操作片が配置されていて、
上記操作片とポンプ部の間に、操作片の動きをポンプ部に伝達する第１操作ロッドと第２操作ロッドを有する伸縮可能な操作ロッドが設けられていて、該操作ロッドは、上記柄の動きに連動して伸縮すると共に、上記連結固定部を使用して柄と共に伸縮位置が固定されるように構成されていて、
上記連結固定部は、上記第１パイプと第２パイプに嵌合してこれらを保持するホルダ部と、
上記第１操作ロッドと第２操作ロッドを連結する連結金具と、
上記連結金具による第１操作ロッドと第２操作ロッドの連結状態と連結解除状態の切り替えと上記第１パイプと第２パイプの伸縮及び接続位置の固定と、を行う伸縮固定レバーと、を備えており、
上記伸縮固定レバーの操作によって上記第１パイプと第２パイプの接続が固定された状態でも、操作片の動きに応動して連結金具を介して連結されている第１操作ロッドと第２操作ロッドが軸方向に所定ストローク移動して、上記ポンプ部による洗浄液の吐出の開始と停止を切り替えることができるように構成されていることを特徴とする伸縮式クリーナ。
【請求項２】
上記連結金具は、揺動支点を介して連結方向と連結解除方向とに揺動し得るように上記ホルダ部に対して接続される金具本体と、
上記金具本体の揺動自由端側に設けられる第１係止ピンと、
上記金具本体の揺動基端側に設けられる第２係止ピンと、
上記金具本体を連結解除方向に付勢する金具用付勢バネと、を備えており、
上記第２係止ピンには、上記第２操作ロッドの先端部が接続され、上記第１係止ピンは、上記第１操作ロッドの長手方向に適宜のピッチで形成されている複数の係止凹部のいずれか１つが係止されるように構成されていることを特徴とする請求項１記載の伸縮式クリーナ。
【請求項３】
上記伸縮固定レバーは、回動支点を介して連結方向と連結解除方向に回動し得るように上記ホルダ部に対して接続されるレバー本体と、
上記レバー本体の作用点側に接続される押込み片と、
上記押込み片を上記連結金具側に付勢するレバー用付勢バネと、を備えており、
上記レバー本体の力点側の操作部を握ることによって、上記押込み片が連結金具から離間して上記第１係止ピンと係止凹部との係止状態が解除され、上記レバー本体の操作部から手を離すことによって、上記押込み片が連結金具側に移動して上記第１係止ピンと係止凹部との係止状態が得られるように構成されていることを特徴とする請求項２記載の伸縮式クリーナ。
【請求項４】
上記第１パイプと第２パイプの外周面には、柄の伸縮方向に延びる溝部が形成されており、上記第１パイプと第２パイプと嵌合する上記連結固定部のホルダ部には、上記溝部と係合し、柄の伸縮方向に延びる突条が設けられていることを特徴とする請求項１〜３のいずれかに記載の伸縮式クリーナ。
【請求項５】
上記拭取り部には、シート状の拭取り体を装着するための押込み係止片と、厚手の拭取り体を装着するための挟持係止片と、の２種類の係止片が設けられていることを特徴とする請求項１〜４のいずれかに記載の伸縮式クリーナ。
【請求項６】
上記拭取り部は、被清掃部位や清掃の目的の違いに対応した形状、大きさないし構造の違う複数の種類が予め用意されており、これらの拭取り部を適宜付け替えて使用し得るように構成されていることを特徴とする請求項１〜５のいずれかに記載の伸縮式クリーナ。
【請求項７】
上記ボトル装着部には、洗浄液を入れたペットボトル内に入れてペットボトル内の洗浄液を吸引する柔軟な吸液チューブが設けられており、該吸液チューブ先端の吸液口には、錘が取り付けられていることを特徴とする請求項１〜６のいずれかに記載の伸縮式クリーナ。
【発明の詳細な説明】
【技術分野】
【０００１】
本発明は、被清掃部位に摺接して被清掃部位に付着した汚れを除去する拭取り部と、被清掃部位に洗浄液を供給し該洗浄液を被清掃部位に滴下ないし噴霧する洗浄液供給部と、を備える清掃具に係り、特に使用状況等に応じて柄の長さを可変し得る伸縮式クリーナに関する。
【背景技術】
【０００２】
被清掃部位を摺接して被清掃部位に付着した汚れを除去する拭取り部と、被清掃部位に洗浄液を供給し該洗浄液を被清掃部位に滴下ないし噴霧する洗浄液供給部と、を備える清掃具は、下記の特許文献１に示すように従来から提案されている。
【０００３】
特許文献１に開示されている清掃具は、噴水作用を具えたモップ構造であり、３本の管を直線的に連接することによって構成される長尺な柄と、柄の下端部に取り付けられる拭取り部となるモップ部と、柄の下端部寄りに設けられる接続カバーに対して設置される専用の水入れ容器、水入れ容器から延びる出水軟管、出水軟管の先端部に取り付けられるノズル及び洗浄液の供給と停止を制御する操作ハンドルを備える洗浄液供給部と、を具備している。
【先行技術文献】
【特許文献】
【０００４】
【特許文献１】実用新案登録第３０９４８５８号公報
【発明の概要】
【発明が解決しようとする課題】
【０００５】
しかしながら、上記特許文献１に開示されている清掃具は、柄が伸縮しないので、手の届かない隙間の床拭きは不向きであり、収納に場所をとるし、使う人の身長に合わない場合があった。
また、モップ部は、フローリング用の不織布製取替えシートや雑巾等を取り付けて使用するタイプであり、窓拭きワイパーとして使用する等、他の用途に使用することはできなかった。
【０００６】
また、水入れ容器は柄の下端部寄りに設けられる接続カバーに対して設置される専用容器のため、予め交換用の容器を複数備えておくことは困難であり、洗浄液の補充、交換作業に時間がかかっていた。
また、床拭きのみを想定しているため、水入れ容器は必ず下向きで使用しなければ水を供給できない構造になっている。従って、当該清掃具を上向きで使用する窓拭きや壁面の清掃に使用することはできなかった。
【０００７】
また、洗浄液供給部を備える清掃具の場合、柄の伸縮に伴って、洗浄液の供給と停止を制御する制御弁を操作するための操作ロッドも同時に伸縮されなければならない。
そして、この場合、柄の伸縮と操作ロッドの伸縮を別々に行ったのでは、当該伸縮作業に時間がかかってしまい、両者の伸縮量の調整が難しくなってしまう。また、柄の長さと操作ロッドの長さを固定する固定手段が柄と操作ロッドの双方に別々に設けられている場合には、当該固定作業も煩雑になってしまう。
【０００８】
本発明はこのような点に基づいてなされたもので、その目的とするところは、拭取り部と洗浄液供給部とを備える清掃具において、被清掃部位の場所の違いや使用者の体の大きさや使用目的等に合わせて柄の長さを変えられるようにすることで、手の届かない隙間の床拭きを可能にし、収納形態がコンパクトで使用者の体の大きさに適合した操作性に優れた清掃具を提供することにある。
また、飲料水等の収容容器として使用されている市販のペットボトルを洗浄液収容容器として利用することで、予め交換用の容器を複数備えておくことを可能にして円滑な容器の交換を行えるようにすること、吸液構造を容器を上向きに使用しても洗浄液の供給を行える構造にし、拭取り部を取替え可能にし、予め種類の異なる複数の拭取り部を備えておくことで、床拭きだけでなく窓拭きや壁面の清掃等にも利用できるようにして用途の拡大を図ることも目的とする。
【課題を解決するための手段】
【０００９】
上記目的を達成するべく本発明の請求項１による伸縮式クリーナは、被清掃部位に摺接して被清掃部位に付着した汚れを除去する拭取り部と、
被清掃部位に洗浄液を供給し、該洗浄液を被清掃部位に滴下ないし噴霧する、ペットボトルを洗浄液収容容器として利用した洗浄液供給部と、
清掃作業時に手で握って操作する操作グリップと、
一端に上記操作グリップを備え、他端に上記拭取り部が着脱可能に取り付けられる、嵌合する第１パイプと第２パイプを有する伸縮可能な柄と、
上記第１パイプと第２パイプの接続部に設けられ、第１パイプと第２パイプの接続位置を変えて柄の長さを調整する連結固定部と、を具備し、
上記洗浄液供給部には、上記拭取り部が取り付けられる上記伸縮可能な柄の一端寄りに、上記ペットボトルを装着するボトル装着部と、洗浄液の吐出の開始と停止の切り替え及び洗浄液の吐出量を加減するポンプ部と、が備えられており、上記操作グリップ自体またはその近傍位置に上記ポンプ部の動作を操作する操作片が配置されていて、
上記操作片とポンプ部の間に、操作片の動きをポンプ部に伝達する第１操作ロッドと第２操作ロッドを有する伸縮可能な操作ロッドが設けられていて、該操作ロッドは、上記柄の動きに連動して伸縮すると共に、上記連結固定部を使用して柄と共に伸縮位置が固定されるように構成されていて、
上記連結固定部は、上記第１パイプと第２パイプに嵌合してこれらを保持するホルダ部と、
上記第１操作ロッドと第２操作ロッドを連結する連結金具と、
上記連結金具による第１操作ロッドと第２操作ロッドの連結状態と連結解除状態の切り替えと上記第１パイプと第２パイプの伸縮及び接続位置の固定と、を行う伸縮固定レバーと、を備えており、
上記伸縮固定レバーの操作によって上記第１パイプと第２パイプの接続が固定された状態でも、操作片の動きに応動して連結金具を介して連結されている第１操作ロッドと第２操作ロッドが軸方向に所定ストローク移動して、上記ポンプ部による洗浄液の吐出の開始と停止を切り替えることができるように構成されていることを特徴とするものである。
【００１０】
【００１１】
【００１２】
また、請求項２による伸縮式クリーナは、請求項１記載の伸縮式クリーナにおいて、上記連結金具は、揺動支点を介して連結方向と連結解除方向とに揺動し得るように上記ホルダ部に対して接続される金具本体と、
上記金具本体の揺動自由端側に設けられる第１係止ピンと、
上記金具本体の揺動基端側に設けられる第２係止ピンと、
上記金具本体を連結解除方向に付勢する金具用付勢バネと、を備えており、
上記第２係止ピンには、上記第２操作ロッドの先端部が接続され、上記第１係止ピンは、上記第１操作ロッドの長手方向に適宜のピッチで形成されている複数の係止凹部のいずれか１つが係止されるように構成されていることを特徴とするものである。
【００１３】
また、請求項３による伸縮式クリーナは、請求項２記載の伸縮式クリーナにおいて、上記伸縮固定レバーは、回動支点を介して連結方向と連結解除方向に回動し得るように上記ホルダ部に対して接続されるレバー本体と、
上記レバー本体の作用点側に接続される押込み片と、
上記押込み片を上記連結金具側に付勢するレバー用付勢バネと、を備えており、
上記レバー本体の力点側の操作部を握ることによって、上記押込み片が連結金具から離間して上記第１係止ピンと係止凹部との係止状態が解除され、上記レバー本体の操作部から手を離すことによって、上記押込み片が連結金具側に移動して上記第１係止ピンと係止凹部との係止状態が得られるように構成されていることを特徴とするものである。
また、請求項４による伸縮式クリーナは、請求項１〜３のいずれかに記載の伸縮式クリーナにおいて、上記第１パイプと第２パイプの外周面には、柄の伸縮方向に延びる溝部が形成されており、上記第１パイプと第２パイプと嵌合する上記連結固定部のホルダ部には、上記溝部と係合し、柄の伸縮方向に延びる突条が設けられていることを特徴とするものである。
【００１４】
また、請求項５による伸縮式クリーナは、請求項１〜４のいずれかに記載の伸縮式クリーナにおいて、上記拭取り部には、シート状の拭取り体を装着するための押込み係止片と、厚手の拭取り体を装着するための挟持係止片と、の２種類の係止片が設けられていることを特徴とするものである。
【００１５】
また、請求項６による伸縮式クリーナは、請求項１〜５のいずれかに記載の伸縮式クリーナにおいて、上記拭取り部は、被清掃部位や清掃の目的の違いに対応した形状、大きさないし構造の違う複数の種類が予め用意されており、これらの拭取り部を適宜付け替えて使用し得るように構成されていることを特徴とするものである。
【００１６】
また、請求項７による伸縮式クリーナは、請求項１〜６のいずれかに記載の伸縮式クリーナにおいて、上記ボトル装着部には、洗浄液を入れたペットボトル内に入れてペットボトル内の洗浄液を吸引する柔軟な吸液チューブが設けられており、該吸液チューブ先端の吸液口には、錘が取り付けられていることを特徴とするものである。
【発明の効果】
【００１７】
そして、上記手段によって以下のような効果が得られる。即ち、本発明の伸縮式クリーナによると、拭取り部と洗浄液供給部とを備える清掃具において、柄の長さを伸縮できるようにしたから、手の届かない隙間の床拭きや高い位置の窓拭き、壁面の清掃が可能になる。また、使用しない場合には、柄を収縮することによってコンパクトになり、収納場所を取らないから清掃具の収納が容易になる。
また、使う人の身長や使用目的等に合わせて柄の長さを調整することで操作性が向上する。また、市販のペットボトルを洗浄液収容容器として利用することで、予め交換用の容器を複数備えておくことが可能になり、円滑な容器の交換が行えるようになる。また、伸縮可能な操作ロッドの採用により、操作グリップを握った状態でのポンプ制御が可能になる。
また、連結固定部をホルダ部と、連結金具と、伸縮固定レバーと、を備えることによって構成し、伸縮固定レバーの操作によって柄の伸縮が固定された状態でも、連結状態の操作ロッドを移動させてポンプ部の駆動を行えるようにした場合には、比較的コンパクトな構成の連結固定部が提供でき、柄の長さを変えた伸縮式クリーナの各状態においてポンプ部を駆動して洗浄液の吐出の開始と停止の切り替えを行うことが可能になる。
【００１８】
【００１９】
また、連結金具を、揺動支点を中心に揺動する金具本体と、金具本体の揺動自由端側に設けられる第１係止ピンと、金具本体の揺動基端側に設けられる第２係止ピンと、金具本体を連結解除方向に付勢する金具用付勢バネと、を備えることによって構成し、上記第２係止ピンには、第２操作ロッドの先端部が接続され、上記第１係止ピンは、上記第１操作ロッドの長手方向に適宜のピッチで形成されている複数の係止凹部のいずれか１つに係止されるように構成した場合には、比較的コンパクトな構成の連結金具が提供でき、第１係止ピンが係止される係止凹部を他の係止凹部に変えることによって操作ロッドの伸縮が可能になり、第１係止ピンと係止凹部との係止状態を切り替えることによって第１操作ロッドと第２操作ロッドの連結状態と連結解除状態と、を切り替えて柄の長さの調整と柄の長さの固定とを行うことが可能になる。
【００２０】
また、伸縮固定レバーをレバー本体と、押込み片と、レバー用付勢バネと、を備えることによって構成し、レバー本体の操作部を握ることによって押込み片を連結金具から離間させて第１係止ピンと係止凹部の係止状態を解除し、レバー本体の操作部から手を離すことによって、押込み片を連結金具側に移動させて第１係止ピンと係止凹部の係止状態が得られるように構成した場合には、比較的コンパクトな構成の伸縮固定レバーが提供でき、単一の伸縮固定レバーを操作することで柄の伸縮及び固定と、操作ロッドの伸縮及び連結とを同時に行うことが可能になる。
また、第１パイプと第２パイプの外周面に柄の伸縮方向に延びる溝部を形成し、連結固定部のホルダ部に上記溝部と係合する突条を設けた場合には、第１パイプと第２パイプは柄の伸縮方向である軸方向に相対的に移動できるが当該軸を中心とした軸周りには回転が規制された状態で接続することが可能になる。
従って、第１パイプと第２パイプの回転方向の位置決めが不要になり、清掃作業中の不用意な柄の回転を防止して拭取り部に力を効率的に伝達できるようになる。
【００２１】
また、拭取り部に対してシート状の拭取り体を装着するための押込み係止片と、厚手の拭取り体を装着するための挟持係止片と、の２種類の係止片を設けた場合には、被清掃部位の状態や使用目的に合わせて不織布等のシート状の拭取り体と雑布等の厚手の拭取り体とを付け替えて使用することが可能になる。
【００２２】
また、被清掃部位や清掃の目的の違いに対応した形状、大きさないし構造の違う複数の種類の拭取り部を予め用意しておき、これらの拭取り部を適宜付け替えて使用し得るように構成した場合には、条件や清掃方法の違う種類の清掃に伸縮式クリーナを使用することが可能になり用途の拡大が図られるようになる。
【００２３】
また、ボトル装着部に対して柔軟な吸液チューブを設け、該吸液チューブ先端の吸液口に錘を取り付けた場合には、使用者が伸縮式クリーナを下向きで使用する床拭き等に利用する場合と、伸縮式クリーナを上向きで使用する窓拭き等に利用する場合とに拘わらず、錘の自重によって吸液口は常時、洗浄液中に存するようになる。
従って、伸縮式クリーナを下向きだけでなく、上向きでも利用できるようになり、用途の一層の拡大が図られるようになる。
【図面の簡単な説明】
【００２４】
【図１】本発明の実施の形態を示す図で、伸縮式クリーナを伸長させた状態の斜視図（ａ）と、伸縮式クリーナを収縮させた状態の斜視図（ｂ）である。
【図２】本発明の実施の形態を示す図で、伸縮式クリーナを分解した状態の斜視図である。
【図３】本発明の実施の形態を示す図で、図２中のＡ部を拡大して示す斜視図である。
【図４】本発明の実施の形態を示す図で、図２中のＢ部を拡大して示す斜視図である。
【図５】本発明の実施の形態を示す図で、図２中のＣ部を拡大して示す斜視図である。
【図６】本発明の実施の形態を示す図で、伸縮式クリーナを示す側面図である。
【図７】本発明の実施の形態を示す図で、伸縮式クリーナを示す平面図である。
【図８】本発明の実施の形態を示す図で、図６中のＤ−Ｄ断面図である。
【図９】本発明の実施の形態を示す図で、図７中のＥ−Ｅ断面図である。
【図１０】本発明の実施の形態を示す図で、図７中のＦ−Ｆ断面図である。
【図１１】本発明の実施の形態を示す図で、図９中のＧ部を拡大して示す側断面図である。
【図１２】本発明の実施の形態を示す図で、図９中のＨ部を拡大して示す側断面図である。
【図１３】本発明の実施の形態を示す図で、ポンプ部に設けられる逆止弁を示す正面図（ａ）と（ａ）中のＩ−Ｉ断面図（ｂ）である。
【図１４】本発明の実施の形態を示す図で、図１２中のＪ−Ｊ断面図である。
【図１５】本発明の実施の形態を示す図で、図１２中のＫ−Ｋ断面図である。
【図１６】本発明の実施の形態を示す図で、図７中のＬ部を拡大して示す平面図（ａ）と図６中のＭ部を拡大して示す側面図（ｂ）である。
【図１７】本発明の他の実施の形態を示す図で、交換可能な複数の拭取り部の一例を示す説明図である。
【発明を実施するための形態】
【００２５】
以下、図１〜図１６に示す実施の形態を例にとって、本発明の伸縮式クリーナの構成と使用態様について具体的に説明する。
本発明の伸縮式クリーナ１は、被清掃部位Ｗに摺接して被清掃部位Ｗに付着した汚れを除去する拭取り部３と、被清掃部位Ｗに洗浄液Ｓを供給し、該洗浄液Ｓを被清掃部位Ｗに滴下ないし噴霧するペットボトルＰを洗浄液収容容器として利用した洗浄液供給部５と、清掃作業時に手で握って操作する操作グリップ７と、一端に上記操作グリップ７を備え、他端に上記拭取り部３が着脱可能に取り付けられる、嵌合する第１パイプ１１と第２パイプ１３を有する伸縮可能な柄９と、上記第１パイプ１１と第２パイプ１３の接続部に設けられ、第１パイプ１１と第２パイプ１３の接続位置を変えて柄９の長さを調整する連結固定部１５と、を備えることによって基本的に構成されている。
【００２６】
そして、本発明の特徴的構成として、上記洗浄液供給部５には、上記拭取り部３が取り付けられる上記伸縮可能な柄９の一端寄りに、上記ペットボトルＰを装着するボトル装着部１７と、洗浄液Ｓの吐出の開始と停止の切り替え及び洗浄液Ｓの吐出量を加減するポンプ部１９と、が備えられている。
また、上記操作グリップ７自体またはその近傍位置に上記ポンプ部１９の動作を操作する操作片２１が配置されている。更に、上記操作片２１とポンプ部１９の間に、操作片２１の動きをポンプ部１９に伝達する第１操作ロッド２５と第２操作ロッド２７を有する伸縮可能な操作ロッド２３が設けられていて、該操作ロッド２３は、上記柄９の動きに連動して伸縮すると共に、上記連結固定部１５を使用して柄９と共に伸縮位置が固定されるように構成されている。
【００２７】
また、図１〜図１６では、一例として床拭き用の拭取り部３を取り付けた伸縮式クリーナ１が図示されており、該拭取り部３は、一例として硬質プラスチック製で矩形平板形状の拭取り基板２９と、該拭取り基板２９の下面に貼設される一例として発泡ウレタン製の拭取り面板３１と、上記拭取り基板２９の上面中央に設けられる接続構造３３と、同じく拭取り基板２９の上面の上記接続構造３３の左右に設けられる、不織布等のシート状の拭取り体Ｕ１を装着するための押込み係止片３５と、雑布等の厚手の拭取り体Ｕ２を装着するための挟持係止片３７と、の２種類の係止片と、が設けられている。
【００２８】
このうち、押込み係止片３５は、図７及び図１６（ａ）に示すようなジグザグ状のスリット３５ａを有し、該スリット３５ａの周囲の舌片状の部分が弾性変形して係止作用を行う。
一方、挟持係止片３７は、図３及び図１０に示すように挟持部に一例として鋸歯状の歯が形成された固定係止片３７ａと、所定角度の範囲で回動し、同じく鋸歯状の歯を有する可動係止片３７ｂとを組み合わせることによって構成されており、図示しない付勢バネの付勢力を受けて２つの係止片３７ａ、３７ｂが常時挟持状態になるように構成されている。
そして、上記押込み係止片３５と挟持係止片３７は、一例としてそれぞれ４組ずつ配置されている。
【００２９】
洗浄液供給部５は、第１パイプ１１の先端部に取り付けられるポンプハウジング３９を備えており、該ポンプハウジング３９に対して、上述したボトル装着部１７とポンプ部１９が配置されている。
ボトル装着部１７は、ペットボトルＰの注ぎ口の首部を収容する凹部４１を備えており、該凹部４１の側周面には、上記首部の外周面に刻設されている雄ネジ部と螺合する雌ネジ部４３が刻設されている。また、上記凹部４１の底部にはペットボトルＰ内の洗浄液Ｓをポンプ部１９に供給するための供給口４５と、洗浄液Ｓを供給中のペットボトルＰ内の圧力低下を防止するための逆止弁４７が設けられている。
【００３０】
このうち、供給口４５には、後述するシリンダ４９に向けて連絡チューブ５５が接続されると共に、ペットボトルＰに向けて吸液チューブ５６が接続されている。そして、当該吸液チューブ５６の先端の吸液口には、錘止め５６ｂによって支持された一例としてステンレス鋼製の錘５６ａが取り付けられており、当該錘５６ａの自重によって伸縮式クリーナ１を下向きで使用すると、上向きで使用するとに拘わらず、当該錘５６ａが下方に移動するため、上記吸液口は常時、ペットボトルＰ内の洗浄液Ｓ中に浸った状態で位置するように構成されている。
一方、上記逆止弁４７は、一例としてシリコン製で、図１３（ａ）（ｂ）に示すような形状を有しており、その頂部付近にスリット４７ａが形成されている。
そして、上記逆止弁４７は、ポンプ部１９を作動させる操作片２１の操作時に閉状態になってペットボトルＰ内の洗浄液Ｓの外部への流出を防止し、上記操作片２１から指を離した時に負圧になって開状態になることで外部の空気をペットボトルＰ内に取り込んでペットボトルＰ内の圧力低下を防止する作用を有している。
【００３１】
尚、ペットボトルＰとしては、種々のボトルが使用できるが、飲料水等を収容している市販のペットボトルＰが一例として使用でき、該ペットボトルＰ内に収容する洗浄液Ｓとしては、単なる水でもよいし液体状ないしフォーム状の洗剤であってもよい。また、汚れを落とすのに一般に使用されている種々の薬品等を水や油に希釈させたものを洗浄液Ｓとして使用することも可能である。
ポンプ部１９は、シリンダ４９と、該シリンダ４９に内嵌されるピストン５１と、上記シリンダ４９の端面とピストン５１との間に縮設されている付勢バネ５３と、を備えており、上記シリンダ４９の端面寄りの側周面には、上記ボトル装着部１７から延びる連絡チューブ５５が逆止弁５４を介して接続されている。
【００３２】
また、上記シリンダ４９の端面にはノズル５７が斜め上方に向かって接続されている。また、上記ピストン５１の後方には押込みロッド５９が接続されており、該押込みロッド５９には上述した第１操作ロッド２５の先端部が固定ピン７９で取り付けられている。
また、ポンプハウジング３９の先端部には、舌片状の弾性片の先端部に係合凸部６１ａを備えた取付け軸６１が取り付けられている。そして、上記取付け軸６１には、上記係合凸部６１ａに係合する係合穴部６３ａを有する連結ロッド６３が接続されている。
また、上記連結ロッド６３の先端部には上述した拭取り基板２９の上面に設けられる接続構造３３に接続されていわゆるユニバーサルジョイントとして機能する接続構造６５が設けられている。
【００３３】
操作グリップ７としては、図示のような手の形状に馴染んだ握り易い形状のグリップが一例として適用でき、操作グリップ７のグリップ径や長さも長時間の清掃作業をしても疲れ難いグリップ径と長さに設定する。尚、操作グリップ７の表面には、滑り難い加工を施したり、ラバー等の滑り止め機能を有する部材を貼設したり、被覆することが可能である。
第１パイプ１１と第２パイプ１３は、管径の違う一例として円管状の部材によって構成されており、図示の実施の形態では第１パイプ１１を内パイプ、第２パイプ１３を外パイプとし、第１パイプ１１を拭取り部３を取り付ける先端側、第２パイプ１３を操作グリップ７を取り付ける基端側にそれぞれ配置している。そして、第１パイプ１１と第２パイプ１３は多重管状に嵌合して伸縮方向となる軸方向Ｙに自由に相対移動できるように構成されている。
【００３４】
また、第１パイプ１１と第２パイプ１３の外周面には、柄の伸縮方向と軸方向Ｙに延びる溝部６７が形成されており、第１パイプ１１と第２パイプ１３を嵌合する後述する連結固定部１５のホルダ部６９には、上記溝部６７と係合し、軸方向Ｙに延びる突条７１が設けられている。
そして、本実施の形態では、第１パイプ１１に形成される溝部６７Ａは、図１４、１５に示すように一例として３ヶ所、第２パイプ１３に形成される溝部６７Ｂは、図１５に示すように一例として１ヶ所設けられており、上記ホルダ部６９には、上記溝部６７Ａと係合する突条７１Ａが一例として３本、上記溝部６７Ｂと係合する突条７１Ｂが一例として１本それぞれ設けられている。
【００３５】
また、上記第１パイプ１１には、後述する連結固定部１５の押込み片７３が嵌まる穴部７５が一例として３個、所定のピッチで形成されている。そして、このようにして構成される第１パイプ１１の先端には、上述した押込みロッド５９が内嵌されており、上述したポンプハウジング３９の一方のハウジング要素４０Ａの側方から挿入される固定ネジ７７が第１パイプ１１と押込みロッド５９を貫いて、ポンプハウジング３９の他方のハウジング要素４０Ｂに螺合することによってポンプハウジング３９が取り付けられている。
尚、上記押込みロッド５９には、軸方向Ｙに延びる長穴６０が形成されており、上記固定ネジ７７はこの長穴６０を貫通するように設けられているため、押込みロッド５９は、上記長穴６０の長さの範囲内で所定ストローク軸方向Ｙに移動できるように構成されている。
【００３６】
また、上記押込みロッド５９には、軸方向Ｙに長い板状の第１操作ロッド２５の先端部が固定ピン７９によって固定状態で取り付けられており、押込みロッド５９と第１操作ロッド２５は軸方向Ｙに一体で移動し得るように構成されている。
尚、第１操作ロッド２５には、後述する連結固定部１５の第１係止ピン８１Ａが係止される係止凹部８３が上述した穴部７５と同じピッチで一例として３ヶ所に設けられている。この他、第１操作ロッド２５の基端部には、連結固定部１５からの脱落を防止するための係止爪８５が形成されている。
【００３７】
一方、第２パイプ１３は、上記第１パイプ１１の外径よりも内径が大きな円管状の部材で、その先端部は、後述する連結固定具１５のホルダ部６９に内嵌され、固定ネジ８７によってホルダ部６９に固定されている。また、第２パイプ１３の基端部には上述した操作グリップ７が取り付けられている。
また、第２パイプ１３の内部には、一例として細い丸棒状の第２操作ロッド２７が配置されており、第２操作ロッド２７の両端に設けられている板状の取付け片２８を利用して、その先端側は後述する連結固定部１５の第２係止ピン８１Ｂに接続されている。また、第２操作ロッド２７の基端側は、操作片２１の回転運動を軸方向Ｙの直線運動に変換して移動するレバーロッド９１に固定ピン７９によって固定状態で取り付けられており、当該レバーロッド９１と、第２操作ロッド２７と、上記第１係止ピン８１Ａと、第２係止ピン８１Ｂと、揺動支点８９と、を備える後述する連結金具９３は、軸方向Ｙに一体で移動し得るように構成されている。
【００３８】
次に、本発明の特徴的構成である連結固定部１５について説明する。連結固定部１５は、上記第１パイプ１１と第２パイプ１３に嵌合してこれらを保持するホルダ部６９と、上記第１操作ロッド２５と第２操作ロッド２７を連結する連結金具９３と、当該連結金具９３による第１操作ロッド２５と第２操作ロッド２７の連結状態と連結解除状態の切り替えと、上記第１パイプ１１と第２パイプ１３の伸縮及び接続位置の固定と、を行う伸縮固定レバー９５と、を備えることによって基本的に構成されている。
そして、上記伸縮固定レバー９５の操作によって上記第１パイプ１１と第２パイプ１３の接続が固定された状態でも、上述した構成によって操作片２１の動きに応動して連結金具９３を介して連結されている第１操作ロッド２５と第２操作ロッド２７が軸方向Ｙに所定ストローク移動して上記ポンプ部１９による洗浄液Ｓの吐出の開始と停止を切り替えることができるように構成されている。
【００３９】
ホルダ部６９は、一例として硬質プラスチック製の略円筒状の部材によって構成されており、軸方向Ｙの両端面は開放されている。また、ホルダ部６９の側胴部の一部は軸方向Ｙに沿って切り欠かれており、この切り欠かれた部分を利用して伸縮固定レバー９５が配置されている。
また、ホルダ部６９の内周面には、上述したように突条７１が軸方向Ｙに沿って所定の長さに亘って形成されており、第１パイプ１１が嵌まる拭取り部３側の内周面に、上記第１パイプ１１の外周面に形成されている３本の溝部６７Ａと係合する３本の突条７１Ａが形成されている。
【００４０】
一方、第２パイプ１３が嵌まる操作グリップ７側の内周面に、上記第２パイプ１３の外周面に形成されている１本の溝部６７Ｂと係合する１本の突条７１Ｂが形成されている。そして、これらの溝部６７と突条７１との係合によって第１パイプ１１と第２パイプ１３の軸方向Ｙへの相対移動が可能になっており、一方、軸方向Ｙの周りの回転は規制されている。
連結金具９３は、揺動支点８９を介して連結方向Ｊと連結解除方向Ｒとに揺動し得るように上記ホルダ部６９に対して接続される金具本体９７と、該金具本体９７の揺動自由端側に設けられる第１係止ピン８１Ａと、該金具本体９７の揺動基端側に設けられる第２係止ピン８１Ｂと、上記金具本体９７を連結解除方向Ｒに付勢する金具用付勢バネ９９と、を備えることによって、基本的に構成されている。
【００４１】
そして、上記第２係止ピン８１Ｂには、上述したように第２操作ロッド２７の先端部の取付け片２８が接続され、上記第１係止ピン８１Ａは、上述したように第１操作ロッド２５の長手方向となる軸方向Ｙに適宜のピッチで形成されている３個の係止凹部８３のいずれか１つに係止されるように構成されている。
金具本体９７は、金属製平板材料を適宜折り曲げて形成した左右の側板部９７ａと底板部９７ｂとを備える部材である。そして、上記揺動支点８９は、上記左右の側板部９７ａと上記ホルダ部６９を固定ピン７９によって揺動可能な状態で接続することによって構成されており、上記第１、第２係止ピン８１Ａ、８１Ｂは、左右の側板部９７ａの間を架け渡すように配置されている。
また、上記金具用付勢バネ９９は、一例として捩りコイルバネによって構成されており、上記金具本体９７の底板部９７ｂを下方に押し下げるように力を作用させて、第１係止ピン８１Ａを連結解除方向Ｒに付勢している。
【００４２】
伸縮固定レバー９５は、回動支点１０１を介して連結方向Ｊと連結解除方向Ｒに回動し得るように上記ホルダ部６９に対して接続されるレバー本体１０３と、該レバー本体１０３の作用点側に接続される押込み片７３と、該押込み片７３を上方の連結金具９３側に付勢するレバー用付勢バネ１０７と、を備えることによって基本的に構成されている。
そして、上記レバー本体１０３の力点側の操作部１０９を握ることによって、上記押込み片７３が連結金具９３から離間して上記第１係止ピン８１Ａと係止凹部８３との係止状態が解除される。また、レバー本体１０３の操作部１０９から手を離すことによって、上記レバー用付勢バネ１０７の付勢力の作用で上記押込み片７３が連結金具９３側に移動して上記第１係止ピン８１Ａと係止凹部８３との係止状態が得られるように構成されている。
【００４３】
レバー本体１０３は、一例として硬質プラスチック製で前板部１０３ｃと左右の側板部１０３ａと底板部１０３ｂとを備えている。そして、上記回動支点１０１は、上記左右の側板部１０３ａと上記ホルダ６９を固定ピン７９によって回動可能な状態で接続することによって構成されている。
また、前板部１０３ｃ近傍の左右の側板部１０３ａの間を架け渡すように接続ピン１１１が設けられており、この接続ピン１１１を介して押込み片７３が伸縮固定レバー９５に接続されている。
【００４４】
押込み片７３は、一例として金属製の円柱形状をした部材であり、上述した第１パイプ１１の穴部７５に嵌合し、更にその先端は上述した連結金具９３の金具本体９７の底板部９７ｂの下面に当接している。
また、レバー用付勢バネ１０７は、上述した金具用付勢バネ９９と同様、一例として捩りコイルバネによって構成されており、上記レバー本体１０３の底板部１０３ｂに作用してレバー本体１０３の操作部１０９側を下方に押し下げ、上記押込み片７３を上方に押し上げるような力を付与している。
【００４５】
次に、このようにして構成される本発明の伸縮式クリーナ１の使用態様を各部の作動態様と併せて説明する。以下、（１）拭取り部のセット、（２）柄の長さの調整と固定、（３）清掃作業の実施、（４）収納の４段階に分けて説明する。
（１）拭取り部のセット
ポンプハウジング３９の取付け軸６１に接続構造３３、６５によって拭取り部３が連結ロッド６３によって取り付けられていない場合には、連結ロッド６３を取付け軸６１に挿し込んで拭取り部３をセットする。尚、連結ロッド６３を取付け軸６１に挿し込むと取付け軸６１の係合凸部６１ａがこれを支持する弾性片の作用で自動的に連結ロッド６３の係合穴部６３ａに嵌って係合状態となる。
次に、拭取り体Ｕを拭取り面板３１に宛がい、拭取り基板２９を包むようにその対向する両端を拭取り基板２９の上面に回して、押込み係止片３５のスリット３５ａに上方から押し込んで固定するか、挟持係止片３７を構成する固定係止片３７ａと可動係止片３７ｂの間に挟んで固定する。
【００４６】
（２）柄の長さの調整
柄９の長さを調整する場合には、連結固定部１５の伸縮固定レバー９５の操作部１０９を握って、レバー本体１０３を回動支点１０１を中心に連結解除方向Ｒに回す。レバー本体１０３の回動に伴い、第１パイプ１１の穴部７５に嵌っていた押込み片７３が当該穴部７５から抜け、上方に押し上げられていた連結金具９３が金具用付勢バネ９９の付勢力で下方に揺動して第１係止ピン８１Ａが係止凹部８３から外れる。
これにより第１パイプ１１は軸方向Ｙに沿って自由に移動できるようになる。使用者の体の大きさや清掃場所、使用目的等に合わせて第１パイプ１１の第２パイプ１３からの出具合を調整し、第１パイプ１１を伸張方向ないし伸縮方向に移動させて行く。
【００４７】
尚、第１パイプ１１を少し移動させれば、押し込み片７３の位置が今まで嵌っていた穴部７５からずれるため、使用者は操作部１０９から手を離しても第１パイプ１１の自由な移動は許容される。第１パイプ１１が所定ピッチ移動すると押し込み片７３は次の穴部７５の位置に到達し、伸縮固定レバー９５のレバー本体１０３は、レバー用付勢バネ１０７の付勢力を受けて連結方向Ｊに自動的に回転する。
これにより、押し込み片７３は、当該穴部７５を貫通し、上方の連結金具９３の金具本体９７の底板部９７ｂの下面に当接し、金具本体９７の揺動自由端に設けられている第１係止ピン８１Ａを上方に押し上げる。
【００４８】
尚、この時、第１パイプ１１と第１操作ロッド２５が一体になって移動し、穴部７５と係止凹部８３の形成ピッチが同じであるから、上記第１係止ピン８１Ａの上方には次の係止凹部８３が自動的に位置しており、第１係止ピン８１Ａはそのまま当該係止凹部８３内に進入して係止される。
そして、柄９の長さが目的の長さであれば柄９の長さの調整は終了し、柄９の長さが目的の長さでなければ、再び伸縮固定レバー９５のレバー本体１０３の操作部１０９を握って上記操作を繰り返す。
【００４９】
（３）清掃作業の実施
以上で清掃の準備が完了し、使用者は操作グリップ７を握って床拭き等の清掃作業を開始することが可能になる。そして、清掃作業に当たり、洗浄液Ｓを使用したい場合には、操作グリップ７の近傍に設けられている操作片２１に指を掛け、当該操作片２１を操作グリップ７側に引いて操作片２１を回動支点２１ａを中心に回動させる。
上記操作片２１の回動に伴って、レバーロッド９１が軸方向Ｙに沿ってポンプ部１９側に直線的に所定ストローク移動する。そして、当該レバーロッド９１が移動すると、固定ピン７９によって接続されている第２操作ロッド２７も同方向に同一ストローク移動し、連結金具９３の第２係止ピン８１Ｂ、金具本体９７、そして第１係止ピン８１Ａに力を伝達する。更に、第１係止ピン８１Ａから当該第１係止ピン８１Ａに係止されている係止凹部８３に力が伝達され、第１操作ロッド２５を第２操作ロッド２７と同方向に同一ストローク移動させる。
【００５０】
また、第２操作ロッド２７に伝達された力は、更に押込みロッド５９に伝達され、該押込みロッド５９の先端に当接しているピストン５１を、付勢バネ５３の付勢力に抗して付勢バネ５３を圧縮する方向に押し込む。この時、シリンダ４９と連絡チューブ５５との接続部に配置されている逆止弁５４が閉じ、シリンダ４９内の洗浄液Ｓが、シリンダ４９内の流路を通ってノズル５７に至り、該ノズル５７先端のノズル口から被洗浄部位Ｗである床面等に向かって洗浄液Ｓが滴下ないし噴霧される。
一方、操作片２１を付勢バネ５３の付勢力で元の状態に自動的に復帰させる。この時、シリンダ４９と連絡チューブ５５との接続部に配置されている逆止弁５４が開いて、給液チューブ５６内にペットボトルＰ内の洗浄液Ｓが取り込まれ、次の洗浄液Ｓの滴下ないし噴霧に備える。
【００５１】
（４）収納
清掃作業が終了し伸縮式クリーナ１を収納する場合には、図１（ａ）に示すように柄９を伸長させていた伸縮式クリーナ１であれば、上述した（２）の柄の長さの調整を行って図１（ｂ）に示すように柄９を収縮させてコンパクトな形態にする。
また、しばらく使う予定がなければポンプハウジング３９のボトル装着部１７に装着していたペットボトルＰを取り外し、必要に応じて係合凸部６１ａを押して取付け軸６１に取り付けられていた連結ロッド６３を抜いて拭取り部３をポンプハウジング３９から取り外す。
【００５２】
そして、このようにして構成される本発明の伸縮式クリーナ１によれば、拭取り部３と洗浄液供給部５とを備える清掃具に対して柄９の伸縮機能を追加することが可能になる。
これにより、被清掃部位Ｗの場所の違いや使用者の体の大きさや使用目的等に合わせて柄９の長さを自由に変えられるようになり、手の届かない隙間の床拭きが可能になり、使用者の体の大きさに合わせた最適な柄９の長さに調整することで伸縮式クリーナ１の操作性を向上させることが可能になる。  
また、柄９を収縮させることで収納形態もコンパクトになり、洗浄液収容容器をペットボトルＰとすることで交換用の容器を複数備えておくことが可能になるから、洗浄液Ｓの補充、交換作業が円滑になる。また、吸液チューブ５６の先端に設けた錘５６ａの作用によって伸縮式クリーナ１の下向きと上向きの使用が可能になるから、拭取り部３を交換することで床拭きだけでなく窓拭き等、他の被清掃部位Ｗの清掃に本発明の伸縮式クリーナ１を使用することも可能になる。
【００５３】
尚、本発明の伸縮式クリーナ１は、上述した実施の形態のものに限定されず、その発明の要旨内での変更が可能である。
例えば、拭取り部３としては、上述したように床拭きを目的にした平板状のものが一例として適用できるが、この拭取り部３に代えてロール状の拭取り部３を使用することも可能である。また、図１７（ａ）に示すようにブラシ状の拭取り部３Ｂを使用することも可能であるし、図１７（ｂ）に示すようにモップ状の拭取り部３Ｃ、図１７（ｃ）に示すようにワイパータイプの拭取り部３Ｄ、図１７（ｄ）に示すようにスポンジタイプの拭取り部３Ｅを使用することも可能である。
そして、これらの拭取り部３は、被清掃部位Ｗの違いや使用目的等に応じて使い分ける他、清掃の前処理段階、本格的な清掃段階、仕上げ階段等に応じて適宜付け替えて使用することも可能である。
【００５４】
この他、柄９の長さの調整は上記実施の形態では３段階に設定したが、２段階にしたり、４段階以上に設定することも可能である。また、本発明の伸縮式クリーナ１を上向きで使用する場合には操作グリップ７の位置よりも高い位置にペットボトルＰが位置することになるから、操作グリップ７のみでその重量を支えることが大変な場合には、柄９の途中にもう一方の手で支えるための補助グリップ等を設けることも可能である。
【産業上の利用可能性】
【００５５】
本発明の伸縮式クリーナは、家の内外の各種の清掃を行う清掃具の製造、使用分野等で利用でき、特に被清掃部位や使用者の体の大きさの違い等に応じて柄の長さを調整したい場合に使用できる操作性と機能性を兼ね備えた伸縮式クリーナを提供したい場合に利用可能性を有する。
【符号の説明】
【００５６】
１  伸縮式クリーナ
３  拭取り部
５  洗浄液供給部
７  操作グリップ
９  柄
１１  第１パイプ
１３  第２パイプ
１５  連結固定部
１７  ボトル装着部
１９  ポンプ部
２１  操作片
２１ａ  回動支点
２３  操作ロッド
２５  第１操作ロッド
２７  第２操作ロッド
２８  取付け片
２９  拭取り基板
３１  拭取り面板
３３  接続構造
３５  押込み係止片
３５ａ  スリット
３７  挟持係止片
３７ａ  固定係止片
３７ｂ  可動係止片
３９  ポンプハウジング
４０  ハウジング要素
４１  凹部
４３  雌ネジ部
４５  供給口
４７  逆止弁
４７ａ  スリット
４９  シリンダ
５１  ピストン
５３  付勢バネ
５４  逆止弁
５５  連絡チューブ
５６  吸液チューブ
５６ａ  錘
５６ｂ  錘止め
５７  ノズル
５９  押込みロッド
６０  長穴
６１  取付け軸
６１ａ  係合凸部
６３  連結ロッド
６３ａ  係合穴部
６５  接続構造
６７  溝部
６９  ホルダ部
７１  突条
７３  押込み片
７５  穴部
７７  固定ネジ
７９  固定ピン
８１Ａ  第１係止ピン
８１Ｂ  第２係止ピン
８３  係止凹部
８５  係止爪
８７  固定ネジ
８９  揺動支点
９１  レバーロッド
９３  連結金具
９５  伸縮固定レバー
９７  金具本体
９７ａ  側板部
９７ｂ  底板部
９９  金具用付勢バネ
１０１  回動支点
１０３  レバー本体
１０３ａ  側板部
１０３ｂ  底板部
１０３ｃ  前板部
１０７  レバー用付勢バネ
１０９  操作部
１１１  接続ピン
Ｐ  ペットボトル
Ｓ  洗浄液
Ｗ  被清掃部位
Ｕ  拭取り体
Ｙ  軸方向（伸縮方向）
Ｊ  連結方向
Ｒ  連結解除方向
【図１】
0006501244.tif 000002
【図２】
0006501244.tif 000003
【図３】
0006501244.tif 000004
【図４】
0006501244.tif 000005
【図５】
0006501244.tif 000006
【図６】
0006501244.tif 000007
【図７】
0006501244.tif 000008
【図８】
0006501244.tif 000009
【図９】
0006501244.tif 000010
【図１０】
0006501244.tif 000011
【図１１】
0006501244.tif 000012
【図１２】
0006501244.tif 000013
【図１３】
0006501244.tif 000014
【図１４】
0006501244.tif 000015
【図１５】
0006501244.tif 000016
【図１６】
0006501244.tif 000017
【図１７】
0006501244.tif 000018